(57)【要約】      （修正有）【課題】ルーズフランジが外周にボルト孔形成部分を膨出させた形状の管継手構造に対して最適な保温材を提供する。【解決手段】管端鍔出し管継手の外方から分割体を組み合わせて被覆するものであって、ルーズフランジの側面形状と一致し、且つフランジ当接面にボルトｄ又はナットｅの収納凹部１４を備えた人造鉱物繊維製クッションボードで形成された内部保温材１と、ルーズフランジ外周面形状と一致する内周面を備え、ルーズフランジの両側方装着した内部保温材１及びルーズフランジ外周面を被覆する発泡樹脂で形成された外部保温材２で構成する。【選択図】図４
0003189322.tif 000002
【実用新案登録請求の範囲】
【請求項１】
管端部の鍔部間にシールを介在し、ボルト及びナットを用いてルーズフランジで対面する鍔部を挟圧し、且つルーズフランジにおけるボルト孔形成部分を外周方向に突出させてなる管端鍔出し管継手を、外方から分割体を組み合わせて被覆するものであって、ルーズフランジの側面形状と一致し、且つフランジ当接面にボルト又はナットの収納凹部を備えた人造鉱物繊維製クッションボートで形成された内部保温材と、ルーズフランジ外周面形状と一致する内周面を備え、ルーズフランジの両側方に装着した内部保温材、及びルーズフランジ外周面を被覆する発泡樹脂で形成された外部保温材で構成したことを特徴とする管端鍔出し管継手用保温材。
【請求項２】
適宜厚さの人造鉱物繊維製クッションボートを、ルーズフランジ形状に合致させて打ち抜き形成すると共に、一部を収納凹部に対応する透孔に打ち抜き、前記打ち抜き部材を積層接着して内部保温材を形成してなる請求項１記載の管端鍔出し管継手用保温材。
【考案の詳細な説明】
【技術分野】
【０００１】
本考案は、管端鍔出し管継手用保温材に関するものである。
【背景技術】
【０００２】
管端鍔出し管継手は、図３に例示するように配管ａの端部に鍔部ｂを塑性加工で形成し、鍔部ｂ間にシールｆを介在し、対面する鍔部ｂをルーズフランジｃとボルトｄ及びナットｅで挟圧するもので、特に前記ルーズフランジｃは外周にボルト孔形成部分を膨出させた形状である（特許文献１参照）。
【０００３】
また管路のフランジ継手部分の保冷保温並びに結露の発生等を実現する保温構造としては、特許文献２には、内部保温材と外部保温材の二重構造を採用すると共に、フランジ連結箇所のボルト・ナットの凹凸面に対応するように不定形保温材、或いはボルト・ナットの凹凸面に対応するよう発泡プラスチック体の成形品を採用することが開示されている。
【０００４】
また特許文献３には、内周面にボルト又はナットの頭部の間に挿入される挿入部を設けた分割フランジ保温材が開示されている。
【先行技術文献】
【特許文献】
【０００５】
【特許文献１】登録実用新案３１６２９９２号公報。
【特許文献２】特開平１０−１８５０８２号公報。
【特許文献３】特開２００７−７８０７６号公報。
【考案の概要】
【考案が解決しようとする課題】
【０００６】
特許文献３に開示されている一重構造の保温材は、内周部分の形状が複雑になり、且つ管外周方向から装着することになるため、ボルト・ナットの凹凸面においての空隙が大きくなってしまう。
【０００７】
また特許文献２に開示されている二重構造の保温材の採用において、不定形保温材は装着作業が煩雑であり、且つ不均等な被覆となってしまう虞がある。また発泡樹脂成形品の内部保温材を採用した場合に、ボルト・ナット部分に多少のサイズ変更があった場合には対応できない。
【０００８】
また前記の二重構造の発泡樹脂成形品の保温材では、一般的なフランジ継手の被覆を考慮しているために、内部保温材の外周面と外部保温材の内周面が円柱面であり、位置決めなどが必要な場合には対応できない。
【０００９】
そこで本考案は、二重構造で且つ内部保温材が不定形保温材の問題点と、発泡樹脂成型品の問題点を解消する内部保温材を採用した新規な管端鍔出し管継手用保温材を提案したものである。
【課題を解決するための手段】
【００１０】
本考案の請求項１記載に係る管端鍔出し管継手用保温材は、管端部の鍔部間にシールを介在し、ボルト及びナットを用いてルーズフランジで対面する鍔部を挟圧し、且つルーズフランジにおけるボルト孔形成部分を外周方向に突出させてなる管端鍔出し管継手を、外方から分割体を組み合わせて被覆するものであって、ルーズフランジの側面形状と一致し、且つフランジ当接面にボルト又はナットの収納凹部を備えた人造鉱物繊維製クッションボードで形成された内部保温材と、ルーズフランジ外周面形状と一致する内周面を備え、ルーズフランジの両側方に装着した内部保温材、及びルーズフランジ外周面を被覆する発泡樹脂で形成された外部保温材で構成したことを特徴とするものである。
【００１１】
而して管端鍔出し管継手に対して、内部保温材をルーズフランジの側面に装着し、更に外部保温材で全体を被覆するもので、内部のスペースを無くして当該箇所全体の保温を実現するものである。
【００１２】
また本考案の請求項１記載に係る管端鍔出し管継手用保温材は、特に、適宜厚さの人造鉱物繊維製クッションボードを、ルーズフランジ形状に合致させて打ち抜き形成すると共に、一部を収納凹部に対応する透孔に打ち抜き、前記打ち抜き部材を積層接着して内部保温材を形成してなるもので、ボルト等のなどの収納凹部を容易に形成できる。
【考案の効果】
【００１３】
本考案の構成は上記のとおりで、変形可能で且つ所定の形状である内部保温材と発泡樹脂製の外部保温材の組み合わせの採用によって、ルーズフランジを用いた管端鍔出し管継手に対して、装着が容易で且つボルト・ナット使用寸法に多少の誤差が生じていたとしても、内部保温材のクッション性で誤差を吸収して、内部スペースの発生を防止しているものである。
【図面の簡単な説明】
【００１４】
【図１】本考案の実施形態の内部保温材の斜視図。
【図２】同外部保温材の斜視図。
【図３】同装着対象の管継手の説明図で、（イ）は斜視図、（ロ）は一部切断正面図。
【図４】同使用状態の説明図。
【考案を実施するための形態】
【００１５】
次に本考案の実施形態について説明する。本考案に係る保温材が装着される対象の管継手は、前述したとおり図３に示す構成のもので、実施形態に示した保温材は、内部保温材１と外部保温材２で構成されるものである。
【００１６】
内部保温材１及び外部保温材２は、管継手に対して外方から装着して被覆するもので、内部保温材は４個、外部保温材は２個で形成される。勿論管継手全体を被覆できれば良いもので前記の分割体の数には限定されない。
【００１７】
内部保温材１は、グラスウールやロックウールの人造鉱物繊維製クッションボードから形成されるもので、外周形状はルーズフランジｃの側面形状に一致するものである。即ち配管ａの半周に合致する内周側縁１１と、ルーズフランジｃを直径方向に横断する接合端縁１２と、ルーズフランジｃの外周径と一致すると共にボルト孔用膨出部と対応する外周側縁１３とを備えた形状に形成したものである。
【００１８】
前記の内部保温材１の製出は、適宜厚さの人造鉱物繊維製クッションボードから前記形状に打ち抜き、打ち抜いたボード１Ａ、１Ｂ・・・を所定の厚さになるように積層接着して形成するもので、特に前記の打ち抜きに際して、一定の厚さに該当する枚数分については、ボルト孔用膨出部に対応した箇所に、ボルトｄ及びナットｅの大きさに対応する透孔１４を打ち抜くと、前記のとおり積層接着して形成され内部保温材１の一面には収納凹部１４ａが形成される。
【００１９】
外部保温材２は、ポリスチレンフォーム、硬質ウレタンフォーム等の発泡樹脂材による、型製造やボートからの切だしで製造するもので、全体が円筒体の縦二分割形状で、内周面２１を前記内部保温材１の外周側縁１３と合致する形状としたもので、その長さは内部保温材１の厚さの２倍に、ルーズフランジｃの厚みを加えた寸法としたものである。
【００２０】
而して内部保温材１を、管継手に対して管軸方向の外側から、収納凹部１４ａ内にボルトｄ及びナットｅが納まるように装着して、内部保温部材１が配管ａ及びルーズフランジｃに密着させる。更に外部保温材２で内部保温材１の外周側縁１３及びルーズフランジｃの外周端面全体を被覆するもので、特に外部保温材２の内周面２１が内部保温材１の外周側縁１３及びルーズフランジｃの外周端面に密着するので、内部に存在する空隙は、鍔部ｂ外周のルーズフランジｃで挟まれた僅かな空間のみであり、配管ａにおける継手部分は完全に断熱処理されることになる。
【００２１】
勿論前記の内外保温材１，２を装着した露出配管部分は、既存の保温処理を施すものである。
【符号の説明】
【００２２】
１      内部保温材
１１    内周側縁
１２    接合端縁
１３    外周側縁
１４    透孔
１４ａ    収納凹部
２      外部保温材
２１    内周面
ａ      配管
ｂ      鍔部
ｃ      ルーズフランジ
ｄ      ボルト
ｅ      ナット
ｆ      シール
【図１】
0003189322.tif 000003
【図２】
0003189322.tif 000004
【図３】
0003189322.tif 000005
【図４】
0003189322.tif 000006